(57)【要約】【解決手段】基礎パネル１と、該基礎パネルの上面に取着されるとともに基礎パネルの辺より短い辺を有し、且つ、床暖房用パイプＨｐが挿入可能な溝ｇ１〜ｇ７が形成されている溝パネル２とにより構成された床モジュールＦ１〜Ｆ５に関するものである。【効果】床モジュールを、基礎パネルと、該基礎パネルの上面に取着されるとともに基礎パネルの辺より短い辺を有し、且つ、床暖房用パイプが挿入可能な溝が形成されている溝パネルとにより構成したので、床暖房用パイプの施工作業の作業性が向上するとともに、床暖房用パイプの施工費用を低減化することができる。【選択図】図１
2005036640.tif 000002
【特許請求の範囲】
【請求項１】
基礎パネルと、該基礎パネルの上面に取着されるとともに基礎パネルの辺より短い辺を有し、且つ、床暖房用パイプが挿入可能な溝が形成されている溝パネルとにより構成されていることを特徴とする床モジュール。
【請求項２】
基礎パネルの裏面に、防震・防音部材が取着されていることを特徴とする請求項１に記載の床モジュール。
【請求項３】
壁に沿って、床基礎上に、床モジュールを構成する基礎パネルと同じ厚さを有する周辺帯板材を配置するとともに、該周辺帯板材に沿って、各種コードが収容可能な周辺溝渠を介して、床モジュールを配置したことを特徴する床構造。
【請求項４】
基礎パネルの裏面に、防震・防音部材が取着されていることを特徴とする請求項３に記載の床構造。
【請求項５】
周辺帯板材の裏面に、防震・防音部材が取着されていることを特徴とする請求項３に記載の床構造。
【請求項６】
床基礎上に、各種コードが収容可能な床モジュール間溝渠を介して、床モジュールを配置したことを特徴する床構造。
【発明の詳細な説明】
【技術分野】
【０００１】
本発明は、コンクリート等で形成された床基礎に配設される、種々の床モジュール及び該床モジュールを使用した床構造に関するものである。
【背景技術】
【０００２】
従来、床基礎に配設される合成樹脂製のベースモジュールと、該ベースモジュールに載置される合成樹脂製の上板モジュールとから構成された床構造が、一例として、特許文献１や特許文献２に開示されている。
【特許文献１】実公平６−３１０２７号公報
【特許文献２】特開２０００−５４６０３号公報
【発明の開示】
【発明が解決しようとする課題】
【０００３】
上述した従来の床基礎に配設される合成樹脂製のベースモジュールは、薄肉構造であり強度や剛性が十分でなく、しかも、凹凸がある床基礎に載置された際には、ベースモジュールが移動するという問題があった。
【０００４】
また、上述した従来の床基礎に配設されるベースモジュールには、光ケーブル等の配設に対する配慮はなされているが、床暖房用パイプ等を配設するための構造にはなっておらず、従って、更に、床暖房用パネル等を、別途工事により敷設しなければならないという問題があった。
【０００５】
本発明の目的は、上述した従来の床モジュール及び該床モジュールによる床構造が有する課題を解決することにある。
【課題を解決するための手段】
【０００６】
本発明は、上述した目的を達成するために、床モジュールを、基礎パネルと、該基礎パネルの上面に取着されるとともに基礎パネルの辺より短い辺を有し、且つ、床暖房用パイプが挿入可能な溝が形成されている溝パネルとにより構成したものであり、また、前記基礎パネルの裏面に、防震・防音部材を取着したものである。
【０００７】
壁に沿って、床基礎上に、床モジュールを構成する基礎パネルと同じ厚さを有する周辺帯板材を配置するとともに、該周辺帯板材に沿って、各種コードが収容可能な周辺溝渠を介して、床モジュールを配置することにより床構造を構成したものであり、また、前記基礎パネルの裏面に、防震・防音部材を取着したものであり、更に、前記周辺帯板材の裏面に、防震・防音部材を取着したものであり、更にまた、床基礎上に、各種コードが収容可能な床モジュール間溝渠を介して、床モジュールを配置したことにより床構造を構成したものである。
【発明の効果】
【０００８】
本発明は、以上説明した構成を有しているので、以下に記載する効果を奏するものである。
【０００９】
床モジュールを、基礎パネルと、該基礎パネルの上面に取着されるとともに基礎パネルの辺より短い辺を有し、且つ、床暖房用パイプが挿入可能な溝が形成されている溝パネルとにより構成したので、床暖房用パイプの施工作業の作業性が向上するとともに、床暖房用パイプの施工費用を低減化することができる。
【００１０】
また、基礎パネルの裏面に、防震・防音部材を取着したので、床モジュールの防震・防音効果を向上することができる。
【００１１】
壁に沿って、床基礎上に、床モジュールを構成する基礎パネルと同じ厚さを有する周辺帯板材を配置するとともに、該周辺帯板材に沿って、各種コードが収容可能な周辺溝渠を介して、床モジュールを配置することにより床構造を構成したので、従来の床モジュール自体に形成されている固定的な溝と異なり、各種コードの収容本数に応じて、適宜、周辺溝渠の幅を調整することができるとともに、従来の床モジュールのように、床モジュール自体に、特別なコード収容溝を形成する必要がないので、床モジュールを安価に製造することができる。
【００１２】
また、床モジュールを構成する基礎パネルの裏面に、防震・防音部材を取着したので、床構造の防震・防音効果を向上することができる。
【００１３】
更に、周辺帯板材の裏面に、防震・防音部材を取着したので、床構造の防震・防音効果を向上することができる。
【００１４】
床基礎上に、各種コードが収容可能な床モジュール間溝渠を介して、床モジュールを配置することにより床構造を構成したので、従来の床モジュール自体に形成されている固定的な溝と異なり、各種コードの収容本数に応じて、適宜、床モジュール間溝渠の幅を調整することができるとともに、従来の床モジュールのように、床モジュール自体に、特別なコード収容溝を形成する必要がないので、床モジュールを安価に製造することができる。
【実施例】
【００１５】
以下に、本発明の実施例について説明するが、本発明の趣旨を越えない限り、何ら、本実施例に限定されるものではない。
【００１６】
先ず最初に、図１〜図３を用いて、床構造を構成する各種床モジュールのうち、コンクリート等で形成された床基礎の上に載置される床モジュールについて説明するが、後述する床暖房用パイプが挿入される床暖房用パイプ溝（以下、単に、溝と称する。）の平面形状が異なる以外は、その基本構成は同じであるので、床暖房用パイプ溝以外の構成について説明する。
【００１７】
床モジュールＦは、平面形状が略正方形状の板状の基礎パネル１と、基礎パネル１の一辺の長さＬ１より、若干、短い一辺の長さＬ２を有する平面形状が略正方形状の板状の溝パネル２とから構成されており、基礎パネル１の中央領域の上面に、溝パネル２を載置するとともに、基礎パネル１と溝パネル２とを、ビスや釘やネジ等の適当な固着具で固着することにより形成されている。溝パネル２が取着された基礎パネル１の周囲には、基礎パネル１の上面１ａと、溝パネル２の垂直端面２ａとにより構成される周状段差部Ｔが形成されている。また、基礎パネル１と溝パネル２とからなる床モジュールＦには、基礎パネル１の相対する垂直端面１ｂから溝パネル２の相対する垂直端面２ａを越えて、床モジュールＦの中央部方向に延在する凹状切欠きｆ１が形成されている。
【００１８】
本発明においては、上述した基礎パネル１と溝パネル２として、木毛や木片や木材チップ等の木質材料とセメントとからなる木質系セメント板（木毛セメント板や木片セメント板）が使用されている。木質系セメント板は、ビスや釘等の固着具に対する保持力が大きし、また、断熱性能や遮音性能が高いので、床モジュールＦとして、特に、優れている。木質系セメント板としては、木毛セメント板を使用することが好ましく、特に、嵩比重が、０．７以上である曲げ強度や剛性の大きな木毛セメント板を用いることが好ましい。
【００１９】
上述した床モジュールＦの溝パネル２には、所定の間隔を置いて形成された、２本の平行な直線状溝ｇ１、ｇ２からなる溝部（以下、直線状２条平行溝部という。）Ｇ１が、２組形成されており、直線状溝ｇ１、ｇ２は、凹状切欠きｆ１に沿った床モジュールＦの中心線Ｙ１に平行で、且つ、溝パネル２の全長に亘たって形成されている。即ち、直線状溝ｇ１、ｇ２は、溝パネル２の相対する垂直端面２ａまで延在している。そして、２組の直線状２条平行溝部Ｇ１は、凹状切欠きｆ１に沿った床モジュールＦの中心線Ｙ１により区画された２つの領域に、それぞれ形成されており、且つ、中心線Ｙ１に対して、線対称に配置されている。このような、溝パネル２に、２組の直線状２条平行溝部Ｇ１が形成されている床モジュールＦを、以下、直線溝型床モジュールと称し、符号Ｆ１を付す。
【００２０】
図４に示されている床モジュールＦ２は、溝パネル２に形成されている床暖房用パイプ溝の形状が異なる以外は、上述した直線溝型床モジュールＦ１と同じ構成を有している。床モジュールＦ２の溝パネル２には、略Ｕ字状の内側溝ｇ３と、該略Ｕ字状の内側溝ｇ３の外側に配置された略Ｕ字状の外側溝ｇ４とが形成されており、略Ｕ字状の内側溝ｇ３の相対する直線部ｇ３ａと略Ｕ字状の外側溝ｇ４の相対する直線部ｇ４ａとは、一方の凹状切欠きｆ１の両側に配置されているとともに、凹状切欠きｆ１に沿った床モジュールＦ２の中心線Ｙ１と平行であり、且つ、略Ｕ字状の内側溝ｇ３と略Ｕ字状の外側溝ｇ４とは、それぞれ、中心線Ｙ１に対して線対称に形成されている。また、略Ｕ字状の内側溝ｇ３の直線部ｇ３ａと略Ｕ字状の外側溝ｇ４の直線部ｇ４ａは、溝パネル２の凹状切欠きｆ１が形成されている一方の垂直端面２ａまで延在している。更に、略Ｕ字状の内側溝ｇ３と略Ｕ字状の外側溝ｇ４との溝間隔（内側溝ｇ３の中心と外側溝ｇ４の中心との間隔）は、直線溝型床モジュールＦ１に形成された直線状２条平行溝部Ｇ１を構成する２本の直線状溝ｇ１、ｇ２の溝間隔（直線状溝ｇ１の中心と直線状溝ｇ２の中心との間隔）と同じである。なお、略Ｕ字状の内側溝ｇ３と略Ｕ字状の外側溝ｇ４とからなる溝部を、Ｕ字状２条溝部と称し、符号Ｇ２を付す。上記の略Ｕ字状の内側溝ｇ３と略Ｕ字状の外側溝ｇ４とが形成されている床モジュールＦ２を、以下、Ｕ字状２条溝型床モジュールと称する。
【００２１】
図５に示されている床モジュールＦ３は、溝パネル２に形成されている床暖房用パイプ溝の形状が異なる以外は、上述した直線溝型床モジュールＦ１と同じ構成を有している。床モジュールＦ３の溝パネル２には、直線溝型床モジュールＦ１に形成された、２本の平行な直線状溝ｇ１、ｇ２からなる直線状２条平行溝部Ｇ１が形成されており、また、床モジュールＦ３には、一対の略Ｊ字状の溝ｇ５、ｇ６とからなるＪ字状２条溝部Ｇ３が形成されている。直線状２条平行溝部Ｇ１とＪ字状２条溝部Ｇ３とは、凹状切欠きｆ１に沿った床モジュールＦの中心線Ｙ１により区画された２つの領域に、それぞれ形成されており、また、Ｊ字状２条溝部Ｇ３の一対の略Ｊ字状の溝ｇ５、ｇ６の直線部ｇ５ａ、ｇ６ａは、直線状２条平行溝部Ｇ１の直線状溝ｇ１、ｇ２と平行で、且つ、中心線Ｙ１と平行となるように形成されている。Ｊ字状２条溝部Ｇ３を構成する一対の略Ｊ字状の溝ｇ５、ｇ６の直線部ｇ５ａ、ｇ６ａの端部は、溝パネル２の凹状切欠きｆ１が形成されている一方の垂直端面２ａまで延在しており、また、一対の略Ｊ字状の溝ｇ５、ｇ６の曲線部ｇ５ｂ、ｇ６ｂの端部は、溝パネル２の凹状切欠きｆ１が形成されていない一方の垂直端面２ａまで延在している。更に、Ｊ字状２条溝部Ｇ３を構成する一対の略Ｊ字状の溝ｇ５、ｇ６の溝間隔（略Ｊ字状の溝ｇ５の中心と略Ｊ字状の溝ｇ６の中心との間隔）は、直線溝型床モジュールＦ１に形成された直線状２条平行溝部Ｇ１を構成する２本の直線状溝ｇ１、ｇ２の溝間隔（直線状溝ｇ１の中心と直線状溝ｇ２の中心との間隔）と同じである。なお、直線状２条平行溝部Ｇ１とＪ字状２条溝部Ｇ３とを有する床モジュールＦ３を、以下、直線状溝・Ｊ字状溝混合型床モジュールと称する。
【００２２】
図６に示されている床モジュールＦ４は、溝パネル２に形成されている床暖房用パイプ溝の形状が異なる以外は、上述した直線溝型床モジュールＦ１と同じ構成を有している。床モジュールＦ４の溝パネル２には、上述したＪ字状２条溝部Ｇ３が、凹状切欠きｆ１に沿った床モジュールＦの中心線Ｙ１により区画された２つの領域に、それぞれ形成されており、２組のＪ字状２条溝部Ｇ３は、凹状切欠きｆ１に沿った床モジュールＦの中心線Ｙ１に対して、線対称に配置されている。２組のＪ字状２条溝部Ｇ３を構成する略Ｊ字状の溝ｇ５、ｇ６の直線部ｇ５ａ、ｇ６ａ（合計４本）の端部は、溝パネル２の凹状切欠きｆ１が形成されている一方の垂直端面２ａまで延在しており、また、２組のＪ字状２条溝部Ｇ３のうち、一方のＪ字状２条溝部Ｇ３を構成する略Ｊ字状の溝ｇ５、ｇ６の曲線部ｇ５ｂ、ｇ６ｂの端部は、溝パネル２の凹状切欠きｆ１が形成されていない相対する垂直端面２ａの一方の垂直端面２ａまで延在しており、更に、もう一方のＪ字状２条溝部Ｇ３を構成する略Ｊ字状の溝ｇ５、ｇ６の曲線部ｇ５ｂ、ｇ６ｂの端部は、溝パネル２の凹状切欠きｆ１が形成されていない相対する垂直端面２ａのもう一方の垂直端面２ａまで延在している。このような、Ｊ字状２条溝部Ｇ３が、２組、形成された床モジュールＦ４を、以下、Ｊ字状溝型床モジュールと称する。
【００２３】
図７に示されている床モジュールＦ５は、溝パネル２に形成されている床暖房用パイプ溝の形状が異なる以外は、上述した直線溝型床モジュールＦ１と同じ構成を有している。床モジュールＦ５の溝パネル２には、上述した直線状溝・Ｊ字状溝混合型床モジュールＦ３やＪ字状溝型床モジュールＦ４に形成されているＪ字状２条溝部Ｇ３と、略Ｕ字状の溝からなるＵ字状溝Ｇ４とが形成されている。Ｊ字状２条溝部Ｇ３とＵ字状溝Ｇ４とは、凹状切欠きｆ１に沿った床モジュールＦの中心線Ｙ１により区画された２つの領域に、それぞれ形成されており、Ｊ字状２条溝部Ｇ３を構成する略Ｊ字状の溝ｇ５、ｇ６の直線部ｇ５ａ、ｇ６ａとＵ字状溝Ｇ４の２本の直線部ｇ７とは、凹状切欠きｆ１に沿った床モジュールＦの中心線Ｙ１に平行で、且つ、中心線Ｙ１に対して、線対称に配置されている。Ｕ字状溝Ｇ４の相対する直線部ｇ７の端部及びＪ字状２条溝部Ｇ３を構成する略Ｊ字状の溝ｇ５、ｇ６の直線部ｇ５ａ、ｇ６ａの端部は、共に、溝パネル２の凹状切欠きｆ１が形成されている相対する垂直端面２ａの一方の垂直端面２ａまで延在している。なお、Ｊ字状２条溝部Ｇ３とＵ字状溝Ｇ４とを有する床モジュールＦ５を、以下、Ｊ字状溝・Ｕ字状溝混合型床モジュールと称する。
【００２４】
次に、床構造を構成する各種カバーモジュールについて説明する。なお、以下に説明する各種カバーモジュールの厚さは、上述した床モジュールＦ１〜Ｆ５を構成する溝パネル２の厚さと同じ厚さに形成されている。
【００２５】
図８に示されているカバーモジュールＣ１は、平面形状が長方形の細長い帯状に形成されており、カバーモジュールＣ１の長辺ｃ１の長さＬ３は、平面形状が略正方形状の溝パネル２の一辺の長さＬ２と同じ長さに形成されている。カバーモジュールＣ１には、その短辺ｃ２に沿って、床暖房用パイプが挿入可能な２本の円弧状溝ｇ８、ｇ９が形成されており、一方の円弧状溝ｇ８は、もう一方の円弧状溝ｇ９より、曲率半径が小さく形成されているとともに、２本の円弧状溝ｇ８、ｇ９の両端は、長辺ｃ１まで達している。円弧状溝ｇ８、ｇ９の曲率半径の中心点に対して、曲率半径が小さい円弧状溝ｇ８は、曲率半径が大きい円弧状溝ｇ９より、曲率半径の中心点寄りに位置している。そして、曲率半径の小さな円弧状溝ｇ８の曲率半径は、直線状溝・Ｊ字状溝混合型床モジュールＦ３やＪ字状溝型床モジュールＦ４やＪ字状溝・Ｕ字状溝混合型床モジュールＦ５に形成されているＪ字状２条溝部Ｇ３を構成する略Ｊ字状の溝ｇ５、ｇ６のうち、凹状切欠きｆ１に対して遠い方の略Ｊ字状の溝ｇ６の曲線部ｇ６ｂの曲率半径に等しく、また、曲率半径の大きい円弧状溝ｇ９の曲率半径は、凹状切欠きｆ１側に位置する略Ｊ字状の溝ｇ５の曲線部ｇ５ｂの曲率半径に等しくなるように形成されている。なお、上記の２本の円弧状溝ｇ８、ｇ９が形成されているカバーモジュールＣ１を、以下、円弧状溝付き帯状カバーモジュールと称する。
【００２６】
図９に示されているカバーモジュールＣ２は、上述した円弧状溝付きカバーモジュールＣ１から、２本の円弧状溝ｇ８、ｇ９を省略したものであり、大きさや厚さも、円弧状溝付きカバーモジュールＣ１と同じである。即ち、カバーモジュールＣ２の長辺ｃ１の長さＬ３も、平面形状が略正方形状の溝パネル２の一辺の長さＬ２と同じ長さに形成されている。このような円弧状溝ｇ８、ｇ９の形成されていないカバーモジュールＣ２を、以下、溝なし帯状カバーモジュールと称する。
【００２７】
図１０に示されているカバーモジュールＣ３は、平面形状が長方形に形成されており、カバーモジュールＣ３には、その短辺ｃ３に沿って、２本の直線状溝ｇ１０、ｇ１１が形成されており、この２本の直線状溝ｇ１０、ｇ１１の溝間隔（直線状溝ｇ１０の中心と直線状溝ｇ１１の中心との間隔）は、上述した直線溝型床モジュールＦ１に形成された直線状２条平行溝部Ｇ１を構成する２本の直線状溝ｇ１、ｇ２の溝間隔と同じである。このような２本の直線状溝ｇ１０、ｇ１１が形成されているカバーモジュールＣ３を、以下、直線状溝付き長方形カバーモジュールと称する。
【００２８】
図１１に示されているカバーモジュールＣ４は、平面形状が略正方形に形成されており、このカバーモジュールＣ４には、上述した溝なし帯状カバーモジュールＣ２と同様に、溝が形成されていない。このような、溝の形成されていない略正方形のカバーモジュールＣ４を、以下、溝なし正方形カバーモジュールと称する。
【００２９】
図１２には、盲蓋Ｂ１が示されており、盲蓋Ｂ１は、基礎パネル１と同じ厚さの下部板ｂ１と、溝パネル２と同じ厚さの上部板ｂ２とから構成されており、盲蓋Ｂ１の大きさは、上述した床モジュールＦ１〜Ｆ５に形成されている凹状切欠きｆ１に嵌合可能な大きさに形成されている。
【００３０】
次に、主として、図１３〜図１８を用いて、上述した床モジュールＦ１〜Ｆ５やカバーモジュールＣ１〜Ｃ４や盲蓋Ｂ１等の組み立てや配置について説明する。
【００３１】
図１３や図１４等に示されているように、一例として、４つの壁Ｗ１、Ｗ２により囲まれた床基礎（コンクリートスラブ）Ｓ１に、床構造を施工する場合について説明する。なお、具体的な実施例における特定の床モジュールＦ１〜Ｆ５について言及しているときは、床モジュールＦ１〜Ｆ５の上述した特定の名称を使用するが、一般的な床モジュールに言及している場合には、単に、床モジュールＦが使用されている。また、具体的な実施例における特定のカバーモジュールＣ１〜Ｃ４について言及しているときは、カバーモジュールＣ１〜Ｃ４の上述した特定の名称を使用するが、一般的なカバーモジュールＣ１〜Ｃ４に言及している場合には、単に、カバーモジュールＣが使用されている。
【００３２】
先ず最初に、壁Ｗ１、Ｗ２に沿って、床基礎Ｓ１上に、基礎パネル１と同じ厚さを有する帯状の周辺帯板材３を配置する。周辺帯板材３は、壁Ｗ１、Ｗ２に接触するように配置することもできるが、壁Ｗ１には凹凸があるので、壁Ｗ１、Ｗ２から、若干離して、配置することが好ましい。
【００３３】
次いで、周辺帯板材３との間に、所定の幅ｄ１の溝渠Ｄ１が形成されるように、周辺帯板材３に沿って、適当な床モジュールＦを、適当数、配置する。このように、周辺帯板材３に沿って、適当な床モジュールＦを配置した際には、周辺帯板材３に沿って配置された床モジュールＦ間にも、所定の幅ｄ２の溝渠Ｄ２が形成されるように、床モジュールＦを配置する。また、周辺帯板材３に沿って配置された床モジュールＦにより囲まれた中央領域にも、隣り合う適当な床モジュールＦ間に、所定の幅ｄ３の溝渠Ｄ３が形成されるように、適当な床モジュールＦを、適当数、配置する。周辺帯板材３に沿って配置された床モジュールＦ間に形成されている溝渠Ｄ２と、上記の隣り合う床モジュールＦ間に形成されている溝渠Ｄ３とは、連続した直線状となるように構成されている。
【００３４】
便宜的に、周辺帯板材３と該周辺帯板材３に沿って配置された床モジュールＦとの間に形成された溝渠Ｄ１を、以下、周辺溝渠と称し、符号Ｄｓを付すとともに、周辺帯板材３に沿って配置された床モジュールＦ間に形成された溝渠Ｄ２及び床モジュールＦにより囲まれた中央領域に配置された床モジュールＦ間や該床モジュールＦと周辺帯板材３に沿って配置された床モジュールＦとの間に形成された溝渠Ｄ３は、いずれも、床モジュールＦ間に形成された溝渠であるので、以下、これらの溝渠Ｄ２、Ｄ３を、床モジュール間溝渠と称し、符号Ｄｆを付す。このような、周辺溝渠Ｄｓや床モジュール間溝渠Ｄｆには、電線コードや光ファイバーコード等の各コードが収容されることになる。なお、上記の溝渠Ｄ１〜Ｄ３、換言すれば、周辺溝渠Ｄｓ及び床モジュール間溝渠Ｄｆの幅ｄ１〜ｄ３は、略同じ幅に形成されることが好ましい。
【００３５】
上述したように、相対する４つの壁Ｗ１、Ｗ２により囲まれた床基礎Ｓ１に、床モジュールＦを配置する。床基礎Ｓ１に載置された床モジュールＦは、通常の床構造の施工においては、ビスや釘やネジ等の適当な固着具を用いて固着することはしないが、必要に応じて、適当な固着具により、床モジュールＦを、床基礎Ｓ１にに固着することもできる。
【００３６】
本実施例には、一例として、横幅の狭い壁（以下、幅狭壁という。）Ｗ１に沿って、３個の床モジュールＦが配置され、横幅の広い壁（以下、幅広壁という。）Ｗ２に沿って、４個の床モジュールＦが配置されているとともに、周辺帯板材３に沿って配置された床モジュールＦにより囲まれた中央領域に、２個の床モジュールＦが配置されている例が示されている。
【００３７】
図１３に示されている本実施例には、略Ｕ字状の内側溝ｇ３と略Ｕ字状の外側溝ｇ４とが形成されているＵ字状２条溝型床モジュールＦ２が４個、相対する幅広壁Ｗ２の一方の幅広壁Ｗ２（図１３において、下方に位置する幅広壁Ｗ２）に沿って配置されており、また、相対する幅広壁Ｗ２の中央部には．４個のＵ字状２条溝型床モジュールＦ２に対応して、２組の直線状２条平行溝部Ｇ１が形成されている直線溝型床モジュールＦ１が４個、配置されており、更に、相対する幅広壁Ｗ２のもう一方の幅広壁Ｗ２（図１３において、上方に位置する幅広壁Ｗ２）に沿って、その中央部に、２組のＪ字状２条溝部Ｇ３が形成されているＪ字状溝型床モジュールＦ４が、２個、配置されており、更にまた、幅狭壁Ｗ１と幅広壁Ｗ２により形成される隅部のうち、一方の隅部（図１３において、左上部に位置する隅部）には、直線状２条平行溝部Ｇ１とＪ字状２条溝部Ｇ３とが形成されている直線状溝・Ｊ字状溝混合型床モジュールＦ３が、１個、配置されており、なお更に、幅狭壁Ｗ１と幅広壁Ｗ２により形成される隅部のうち、もう一方の隅部（図１３において、右上部に位置する隅部）には、Ｊ字状２条溝部Ｇ３とＵ字状溝Ｇ４とが形成されているＪ字状溝・Ｕ字状溝混合型床モジュールＦ５が、１個、配置されている例が示されている。
【００３８】
周辺溝渠Ｄｓには、上述した溝なし帯状カバーモジュールＣ２が被せられることになる。周辺帯板材３の上面３ａと、該周辺帯板材３に対向する床モジュールＦの周状段差部Ｔの載置面、即ち、基礎パネル１の上面１ａとに、溝なし帯状カバーモジュールＣ２を載置することにより、周辺溝渠Ｄｓに、溝なし帯状カバーモジュールＣ２が被せられるように構成されている。
【００３９】
相対する幅広壁Ｗ２の一方の幅広壁Ｗ２（図１３及び図１５において、上方に位置する幅広壁Ｗ２）に沿って、その中央部に配置された２個のＪ字状溝型床モジュールＦ４間、一方の隅部に配置された直線状溝・Ｊ字状溝混合型床モジュールＦ３とＪ字状溝型床モジュールＦ４間及びもう一方の隅部に配置されたＪ字状溝・Ｕ字状溝混合型床モジュールＦ５とＪ字状溝型床モジュールＦ４間に形成された床モジュール間溝渠Ｄｆ（図１３及び図１５に示されている実施例においては、３本）には、２本の円弧状溝ｇ８、ｇ９が形成されている円弧状溝付き帯状カバーモジュールＣ１が被せられることになる。円弧状溝付き帯状カバーモジュールＣ１は、床モジュール間溝渠Ｄｆを挟んで対向する直線状溝・Ｊ字状溝混合型床モジュールＦ３やＪ字状溝型床モジュールＦ４やＪ字状溝・Ｕ字状溝混合型床モジュールＦ５の周状段差部Ｔの載置面、即ち、基礎パネル１の上面１ａに載置されることにより、床モジュール間溝渠Ｄｆを被蓋するように構成されている。床モジュール間溝渠Ｄｆが、円弧状溝付き帯状カバーモジュールＣ１で被蓋された際には、直線状溝・Ｊ字状溝混合型床モジュールＦ３やＪ字状溝型床モジュールＦ４に形成されているＪ字状２条溝部Ｇ３の一方の略Ｊ字状の溝ｇ５の曲線部ｇ５ｂが、円弧状溝付き帯状カバーモジュールＣ１の曲率半径の大きな円弧状溝ｇ９に連結され、また、Ｊ字状２条溝部Ｇ３のもう一方の略Ｊ字状の溝ｇ６の曲線部ｇ６ｂが、円弧状溝付き帯状カバーモジュールＣ１の曲率半径の小さな円弧状溝ｇ８に連結されるように構成されている。
【００４０】
また、相対する幅広壁Ｗ２のもう一方の幅広壁Ｗ２（図１３及び図１５において、下方に位置する幅広壁Ｗ２）に沿って配置された４個のＵ字状２条溝型床モジュールＦ２間に形成された床モジュール間溝渠Ｄｆ（図１３及び図１５に示されている実施例においては、３本）には、溝なし帯状カバーモジュールＣ２が被せられることになる。溝なし帯状カバーモジュールＣ２は、床モジュール間溝渠Ｄｆを挟んで対向するＵ字状２条溝型床モジュールＦ２の周状段差部Ｔの載置面、即ち、基礎パネル１の上面１ａに載置されることにより、床モジュール間溝渠Ｄｆを被蓋するように構成されている。
【００４１】
更に、相対する幅広壁Ｗ２の中央部に配置された４個の直線溝型床モジュールＦ１間に形成された床モジュール間溝渠Ｄｆ（図１３及び図１５に示されている実施例においては、３本）にも、溝なし帯状カバーモジュールＣ２が被せられることになる。溝なし帯状カバーモジュールＣ２は、上述したと同様に、床モジュール間溝渠Ｄｆを挟んで対向する直線溝型床モジュールＦ１の周状段差部Ｔの載置面、即ち、基礎パネル１の上面１ａに載置されることにより、床モジュール間溝渠Ｄｆを被蓋するように構成されている。
【００４２】
更にまた、床モジュール間溝渠Ｄｆ同士が交叉する部分（図１３及び図１５に示されている実施例においては、６個所）Ｘ１には、溝なし正方形カバーモジュールＣ４が被せられることになる。溝なし正方形カバーモジュールＣ４は、床モジュール間溝渠Ｄｆ同士が交叉する部分Ｘ１を形成する４個の床モジュールＦの周状段差部Ｔの載置面、即ち、基礎パネル１の上面１ａに載置されることにより、上記の部分Ｘ１を被蓋するように構成されている。また、溝なし正方形カバーモジュールＣ４には、周辺溝渠Ｄｓや床モジュール間溝渠Ｄｆに収容されている電線コード用のコンセントや光ファイバーコードの接続端子部材等を、適宜、配設することができるように構成されている。なお、必要に応じて、カバーモジュールＣ２にも、電線コード用のコンセントや光ファイバーコードの接続端子部材等を配設することができる。
【００４３】
なお更に、周辺溝渠Ｄｓに連通した床モジュールＦの凹状切欠きｆ１（（図１３及び図１５に示されている実施例においては、８個所）及び床モジュール間溝渠Ｄｆに連通した床モジュールＦの凹状切欠きｆ１（（図１３及び図１５に示されている実施例においては、１６個所）には、図１２に示されているような盲蓋Ｂ１が嵌合されている。
【００４４】
更になお、直線状溝・Ｊ字状溝混合型床モジュールＦ３の凹状切欠きｆ１が形成されている端面と直線溝型床モジュールＦ１の凹状切欠きｆ１が形成されている端面との間、Ｊ字状溝型床モジュールＦ４の凹状切欠きｆ１が形成されている端面と直線溝型床モジュールＦ１の凹状切欠きｆ１が形成されている端面との間、Ｊ字状溝・Ｕ字状溝混合型床モジュールＦ５の凹状切欠きｆ１が形成されている端面と直線溝型床モジュールＦ１の凹状切欠きｆ１が形成されている端面との間及びＵ字状２条溝型床モジュールＦ２の凹状切欠きｆ１が形成されている端面と直線溝型床モジュールＦ１の凹状切欠きｆ１が形成されている端面との間に位置する床モジュール間溝渠Ｄｆの中央部（相対する凹状切欠きｆ１間に維持する部分）は、図１１に示されているような溝なし正方形カバーモジュールＣ４が被せられることになる。
【００４５】
更に、上記の溝なし正方形カバーモジュールＣ４で被蓋された床モジュール間溝渠Ｄｆの中央部の両側に位置する端部部分は、図１０に示されているような直線状溝付き長方形カバーモジュールＣ３が、被せられることになる。そして、溝なし正方形カバーモジュールＣ４で被蓋された床モジュール間溝渠Ｄｆの中央部の両側に位置する端部部分に被蓋された２個の直線状溝付き長方形カバーモジュールＣ３のうち、一方の直線状溝付き長方形カバーモジュールＣ３に形成されている２本の直線状溝ｇ１０、ｇ１１は、直線状溝・Ｊ字状溝混合型床モジュールＦ３の直線状２条平行溝部Ｇ１の２本の直線状溝ｇ１、ｇ２と、該直線状溝・Ｊ字状溝混合型床モジュールＦ３と対向して配置された直線溝型床モジュールＦ１の一方の直線状２条平行溝部Ｇ１の２本の直線状溝ｇ１、ｇ２とを連結しており、また、もう一方の直線状溝付き長方形カバーモジュールＣ３に形成されている２本の直線状溝ｇ１０、ｇ１１は、直線状溝・Ｊ字状溝混合型床モジュールＦ３のＪ字状２条溝部Ｇ３の２本の略Ｊ字状の溝ｇ５、ｇ６の直線部ｇ５ａ、ｇ６ａと、該直線状溝・Ｊ字状溝混合型床モジュールＦ３と対向して配置された直線溝型床モジュールＦ１のもう一方の直線状２条平行溝部Ｇ１の２本の直線状溝ｇ１、ｇ２とを連結している。
【００４６】
同様に、溝なし正方形カバーモジュールＣ４で被蓋された床モジュール間溝渠Ｄｆの中央部の両側に位置する端部部分に被蓋された２個の直線状溝付き長方形カバーモジュールＣ３に形成されている２本の直線状溝ｇ１０、ｇ１１は、Ｊ字状溝型床モジュールＦ４の２組のＪ字状２条溝部Ｇ３の２本の略Ｊ字状の溝ｇ５、ｇ６の直線部ｇ５ａ、ｇ６ａと、該Ｊ字状溝型床モジュールＦ４と対向して配置された直線溝型床モジュールＦ１の２組の直線状２条平行溝部Ｇ１の２本の直線状溝ｇ１、ｇ２とを連結している。
【００４７】
同様に、溝なし正方形カバーモジュールＣ４で被蓋された床モジュール間溝渠Ｄｆの中央部の両側に位置する端部部分に被蓋された２個の直線状溝付き長方形カバーモジュールＣ３のうち、一方の直線状溝付き長方形カバーモジュールＣ３に形成されている２本の直線状溝ｇ１０、ｇ１１は、Ｊ字状溝・Ｕ字状溝混合型床モジュールＦ５のＪ字状２条溝部Ｇ３の２本の略Ｊ字状の溝ｇ５、ｇ６の直線部ｇ５ａ、ｇ６ａと、該Ｊ字状溝・Ｕ字状溝混合型床モジュールＦ５と対向して配置された直線溝型床モジュールＦ１の一方の直線状２条平行溝部Ｇ１の２本の直線状溝ｇ１、ｇ２とを連結しており、また、もう一方の直線状溝付き長方形カバーモジュールＣ３に形成されている２本の直線状溝ｇ１０、ｇ１１は、Ｊ字状溝・Ｕ字状溝混合型床モジュールＦ５のＵ字状溝Ｇ４の相対する直線部ｇ７と、該Ｊ字状溝・Ｕ字状溝混合型床モジュールＦ５と対向して配置された直線溝型床モジュールＦ１のもう一方の直線状２条平行溝部Ｇ１の２本の直線状溝ｇ１、ｇ２とを連結している。
【００４８】
同様に、溝なし正方形カバーモジュールＣ４で被蓋された床モジュール間溝渠Ｄｆの中央部の両側に位置する端部部分に被蓋された２個の直線状溝付き長方形カバーモジュールＣ３に形成されている２本の直線状溝ｇ１０、ｇ１１は、Ｕ字状２条溝型床モジュールＦ２の内側溝ｇ３の直線部ｇ３ａ及び略Ｕ字状の外側溝ｇ４の直線部ｇ３ａと、該Ｕ字状２条溝型床モジュールＦ２と対向して配置された直線溝型床モジュールＦ１の２組の直線状２条平行溝部Ｇ１の２本の直線状溝ｇ１、ｇ２とを連結している。
【００４９】
上述したようにして、床モジュールＦやカバーモジュールＣや盲蓋Ｂ１等の組み立てや配置が終了した後、互いに連結された床モジュールＦに形成された溝（床暖房用パイプ溝）ｇ１〜ｇ７、円弧状溝付き帯状カバーモジュールＣ１に形成された円弧状溝（床暖房用パイプ溝）ｇ８、ｇ９及び直線状溝付き長方形カバーモジュールＣ３に形成された直線状溝（床暖房用パイプ溝）ｇ１０、ｇ１１に、床暖房用パイプＨｐを挿入する。なお、幅狭壁Ｗ１と幅広壁Ｗ２により形成される隅部のうち、一方の隅部（図１３及び図１５において、左上部に位置する隅部）に配置された直線状溝・Ｊ字状溝混合型床モジュールＦ３の直線状２条平行溝部Ｇ１の溝ｇ１、ｇ２に挿入された床暖房用パイプＨｐには、直接、或いは、適当な床暖房用パイプを介して、公知の床暖房用熱源が接続されている。
【００５０】
上述したように、床モジュールＦに形成された溝（床暖房用パイプ溝）ｇ１〜ｇ７、円弧状溝付き帯状カバーモジュールＣ１に形成された円弧状溝（床暖房用パイプ溝）ｇ８、ｇ９及び直線状溝付き長方形カバーモジュールＣ３に形成された直線状溝（床暖房用パイプ溝）ｇ１０、ｇ１１に、床暖房用パイプＨｐを挿入した後、床モジュールＦやカバーモジュールＣや盲蓋Ｂ１の上面には、アルミニウム板Ａが敷かれる。このようにして、床構造が形成されることになる。なお、アルミニウム板Ａの上には、カーペットや適当な大きさに形成された方形状カーペット片等の適当なフローリング材Ｍを敷きつめる。なお、床モジュールＦに形成された溝（床暖房用パイプ溝）ｇ１〜ｇ７、円弧状溝付き帯状カバーモジュールＣ１に形成された円弧状溝（床暖房用パイプ溝）ｇ８、ｇ９及び直線状溝付き長方形カバーモジュールＣ３に形成された直線状溝（床暖房用パイプ溝）ｇ１０、ｇ１１は、これら溝ｇ１〜ｇ１１に挿入された床暖房用パイプＨｐの上面が、床モジュールＦやカバーモジュールＣや盲蓋Ｂ１の上面に敷かれたアルミニウム板Ａに当接するような深さに形成することが好ましい。このように、溝ｇ１〜ｇ１１に挿入された床暖房用パイプＨｐとアルミニウム板Ａとを当接するように構成することにより、熱伝導率の良好なアルミニウム板Ａを介して、床暖房用パイプＨｐの熱が、効果的に、フローリング材Ｍに伝達されることになる。
【００５１】
上述したように、床モジュールＦを構成する基礎パネル１と溝パネル２には、木毛や木片や木材チップ等の木質材料とセメントとからなる木質系セメント板（木毛セメント板や木片セメント板）が使用されており、同様に、カバーモジュールＣや盲蓋Ｂ１にも、木毛や木片や木材チップ等の木質材料とセメントとからなる木質系セメント板（木毛セメント板や木片セメント板）が使用されている。
【００５２】
上述したように、床モジュールＦを、基礎パネル１と、該基礎パネル１の上面に取着されるとともに、基礎パネル１の辺より短い辺を有し、且つ、床暖房用パイプＨｐが挿入可能な溝ｇ１〜ｇ９が形成されている溝パネル２とにより構成し、床モジュールＦに、床暖房用パイプＨｐを配設するように構成したので、床暖房用パイプＨｐの施工作業の作業性が向上するとともに、床暖房用パイプＨｐの施工費用を低減化することができる。
【００５３】
また、壁Ｗ１、Ｗ２に沿って、床基礎Ｓ１上に、基礎パネル１と同じ厚さを有する帯状の周辺帯板材３を配置するとともに、周辺帯板材３に沿って、各種コードが収容可能な周辺溝渠Ｄｓを介して、床モジュールＦを配置したので、従来の床モジュール自体に形成されている固定的な溝と異なり、各種コードの収容本数に応じて、適宜、周辺溝渠Ｄｓの幅を調整することができるとともに、従来の床モジュールのように、床モジュール自体に、特別なコード収容溝を形成する必要がないので、床モジュールＦを安価に製造することができる。
【００５４】
更に、床基礎Ｓ１上に、各種コードが収容可能な床モジュール間溝渠Ｄｆを介して、床モジュールＦを配置したので、従来の床モジュール自体に形成されている固定的な溝と異なり、各種コードの収容本数に応じて、適宜、床モジュール間溝渠Ｄｆの幅を調整することができるとともに、従来の床モジュールのように、床モジュール自体に、特別なコード収容溝を形成する必要がないので、床モジュールＦを安価に製造することができる。
【００５５】
なお、上述した床モジュールＦに形成された床暖房用パイプＨｐが挿入される溝ｇ１〜ｇ７やカバーモジュールＣに形成された床暖房用パイプＨｐが挿入される溝ｇ８〜ｇ１１の形状が、上述したような形状に限定されることなく、種々の形状とすることができる。また、床モジュールＦは、その平面形状を、必ずしも、正方形にする必要はなく、長方形や平行四辺形や菱形等の形状とすることもできる。
【００５６】
なお、上述したように、床基礎Ｓ１に、床モジュールＦ１〜Ｆ５を配置した後、カバーモジュールＣ１〜Ｃ４を配置するが、ビスや釘やネジ等の適当な固着具を用いて、カバーモジュールＣ１〜Ｃ４を、床モジュールＦ１〜Ｆ５に固着することにより、床モジュールＦ１〜Ｆ５やカバーモジュールＣ１〜Ｃ４等により構成される床構造を、部分的なバタつきの無い、全体として略一体化し、強度及び剛性の大きな床構造を形成することができる。
【００５７】
また、床構造を構成する基礎パネル１と溝パネル２とからなる床モジュールＦ及びカバーモジュールＣの材料として、木質系セメント板、就中、嵩比重が、０．７以上である曲げ強度や剛性の大きな木毛セメント板を使用したので、従来の合成樹脂製のベースモジュールにより形成される床構造に比べて、強度及び剛性の大きな床構造を形成することができるので、床構造に載置される家具や備品や設備等の重量が増加しても、床構造が湾曲したり損傷するようなことを防止することができるとともに、従来の合成樹脂製のベースモジュールにより形成される床構造では施工することが困難であった、軽量鉄骨や石膏ボード等で構成される間仕切り壁を形成することができる。
【００５８】
更に、上述した実施例には、床モジュールＦの凹状切欠きｆ１に、盲蓋Ｂ１を嵌合した例が示されているが、盲蓋Ｂ１に代えて、電気配線用ボックスを落とし込み、電気配線用ボックスの上部にコンセント等を配設するように構成することもできる。電気配線用ボックスは、床モジュールＦに、ビスや釘やネジ等の適当な固着具を用いて固着することが好ましい。
【００５９】
上述したように、床基礎Ｓ１の上に、各種床モジュールＦ（直線溝型床モジュールＦ１、Ｕ字状２条溝型床モジュールＦ２、直線状溝・Ｊ字状溝混合型床モジュールＦ３、Ｊ字状溝型床モジュールＦ４、Ｊ字状溝・Ｕ字状溝混合型床モジュールＦ５）が載置されるが、床モジュールＦを、直に、コンクリートスラブ等の床基礎Ｓ１に載置し、床構造を構成すると、振動や音等が、周囲に伝播する場合がある。
【００６０】
図１９及び図２０には、上述したような課題を解決するために、床モジュールＦの裏面、即ち、床モジュールＦを構成する基礎パネル１の裏面１’に、ゴム材や、軟質合成樹脂材や、フェルトや不織布等の繊維材等からなる防震・防音部材Ｐが取着されている例が示されている。
【００６１】
図１９及び図２０には、一例として、床モジュールＦのうち、直線溝型床モジュールＦ１の裏面１’、即ち、直線溝型床モジュールＦ１を構成する基礎パネル１の裏面１’の４つの角部及び中央部の合計５箇所に、防震・防音部材Ｐが取着されている例が示されている。
【００６２】
図１９及び図２０には、平面形状が正方形の角盤状の防震・防音部材Ｐが示されているが、防震・防音部材Ｐを、平面形状が円形の円盤状に形成することも、他の形状に形成することもできる。また、防震・防音部材Ｐの平面的な大きさは、床モジュールＦの大きさに応じて、適宜、調整するとこができ、同様に、防震・防音部材Ｐの厚さも、適宜、調整するとこができる。
【００６３】
また、床モジュールＦが小さい場合には、基礎パネル１の裏面１’の４つの角部のみに、防震・防音部材Ｐを取着することができるし、逆に、床モジュールＦが大きい場合には、４つの角部や中央部に加えて、他の個所に、適宜、防震・防音部材Ｐを取着することもできる。
【００６４】
更に、上述したように、壁Ｗ１、Ｗ２に沿って、床基礎Ｓ１上に、基礎パネル１と同じ厚さを有する帯状の周辺帯板材３が載置されることになるが、周辺帯板材３の裏面にも、適当な間隔を置いて、防震・防音部材Ｐを取着することが好ましい。
【００６５】
上述したように、床モジュールＦの裏面や周辺帯板材３の裏面に、防震・防音部材Ｐを取着することにより、床構造の防震・防音効果を向上することができる。
【図面の簡単な説明】
【００６６】
【図１】図１は本発明の床構造を構成する床モジュールの斜視図である。
【図２】図２は図１に示されている床モジュールの平面図である。
【図３】図３は図１に示されている床モジュールの正面図である。
【図４】図４は本発明の床構造を構成する別の床モジュールの平面図である。
【図５】図５は本発明の床構造を構成する更に別の床モジュールの平面図である。
【図６】図６は本発明の床構造を構成する更にまた別の床モジュールの平面図である。
【図７】図７は本発明の床構造を構成するなお更に別の床モジュールの平面図である。
【図８】図８は本発明の床構造を構成するカバーモジュールの斜視図である。
【図９】図９は本発明の床構造を構成する別のカバーモジュールの斜視図である。
【図１０】図１０は本発明の床構造を構成する更に別のカバーモジュールの斜視図である。
【図１１】図１１は本発明の床構造を構成する更にまた別のカバーモジュールの斜視図である。
【図１２】図１２は本発明の床構造を構成する盲蓋の斜視図である。
【図１３】図１３は本発明の床構造の組み立て途中の平面図である。
【図１４】図１４は図１３のＩ−Ｉ線に沿った垂直断面図である。
【図１５】図１５は同じく本発明の床構造の組み立て途中の平面図である。
【図１６】図１６は図１５のII−II線に沿った垂直断面図である。
【図１７】図１７は本発明の床構造が組み立てられた状態の垂直断面図である。
【図１８】図１８は本発明の床構造に配設された床暖房用パイプ付近の部分拡大垂直断面図である。
【図１９】図１９は本発明の床構造を構成する別の実施例の床モジュールの裏面斜視図である。
【図２０】図２０は図１９に示されている床モジュールの正面図である。
【符号の説明】
【００６７】
Ａ・・・・・・・・・・・・・・アルミニウム板
Ｂ１・・・・・・・・・・・・・盲蓋
Ｃ・・・・・・・・・・・・・・カバーモジュール
Ｄｆ・・・・・・・・・・・・・床モジュール間溝渠
Ｄｓ・・・・・・・・・・・・・周辺溝渠
Ｆ・・・・・・・・・・・・・・床モジュール
ｇ１〜ｇ１１・・・・・・・・・床暖房用パイプ溝
Ｈｐ・・・・・・・・・・・・・床暖房用パイプ
Ｐ・・・・・・・・・・・・・・防震・防音部材
１・・・・・・・・・・・・・・基礎パネル
２・・・・・・・・・・・・・・溝パネル
３・・・・・・・・・・・・・・周辺帯板材
【図１】
2005036640.tif 000003
【図２】
2005036640.tif 000004
【図３】
2005036640.tif 000005
【図４】
2005036640.tif 000006
【図５】
2005036640.tif 000007
【図６】
2005036640.tif 000008
【図７】
2005036640.tif 000009
【図８】
2005036640.tif 000010
【図９】
2005036640.tif 000011
【図１０】
2005036640.tif 000012
【図１１】
2005036640.tif 000013
【図１２】
2005036640.tif 000014
【図１３】
2005036640.tif 000015
【図１４】
2005036640.tif 000016
【図１５】
2005036640.tif 000017
【図１６】
2005036640.tif 000018
【図１７】
2005036640.tif 000019
【図１８】
2005036640.tif 000020
【図１９】
2005036640.tif 000021
【図２０】
2005036640.tif 000022